(57)【要約】【課題】長時間沸騰や活性炭フィルターが不要で、お湯の美味しさや手入れ性能に優れた湯沸し器を提供することを目的とする。【解決手段】容器２の内面に、ＰＳＥ、顔料およびフッ素樹脂を主成分とする第１の塗膜層３ａと、ＰＥＳ、顔料およびフッ素樹脂を主成分とし、親水性を有する第２の塗膜層３ｂとを順次形成し、少なくとも第１、第２の塗膜層３ａ、３ｂのいずれかに気泡の発生核となる物質を添加した。これによって、湯沸し時に細かい気泡を多く発生させることができ、発生した気泡のバブル効果によりお湯が掻き回され、お湯の中に溶存する有機溶剤などの不純物を除去することができるとともに、水分子は小さく分断され活性化され、その作用により不要な成分が除去され、浄水性能が高まり、長時間沸騰や活性炭フィルターが不要で、お湯の美味しさや手入れ性能に優れた湯沸し器が実現できる。【選択図】図２
2007289310.tif 000002
【特許請求の範囲】
【請求項１】
有底筒状の液体を入れる容器の内面に、ＰＳＥ、顔料およびフッ素樹脂を主成分とする第１の塗膜層と、ＰＥＳ、顔料およびフッ素樹脂を主成分とし、親水性を有する第２の塗膜層とを順次形成し、少なくとも前記第１の塗膜層または第２の塗膜層のいずれかに気泡の発生核となる物質を添加した湯沸し器。
【請求項２】
気泡の発生核となる物質は針状物質とした請求項１に記載の湯沸し器。
【請求項３】
気泡の発生核となる物質の添加は１〜１５重量％とした請求項１または２に記載の湯沸し器。
【請求項４】
第１の塗膜層に中空で多孔性のマイクロカプセルを添加した請求項１〜３のいずれか１項に記載の湯沸し器。
【請求項５】
中空で多孔性のマイクロカプセルを塗膜の固形分に対して３〜３０重量％添加した請求項４に記載の湯沸し器。
【請求項６】
第２の塗膜層上にさらにＰＥＳクリアーを主成分とする第３の塗膜層を形成した請求項１〜５のいずれか１項に記載の湯沸し器。
【発明の詳細な説明】
【技術分野】
【０００１】
本発明は、お湯の美味しさや手入れ性能に優れた、機器における湯沸し器を提供するものである。
【背景技術】
【０００２】
従来、機器として電気湯沸し器の場合は、水垢の手入れ性を高めるためにフッ素コート処理を行っている（例えば、特許得文献１参照）。そして、一般的に、お湯の美味しさを高めるためには、沸騰時間を長くしたり、活性炭フィルターを容器内、または流水経路に設置したりしている。
【特許文献１】特開平７−３０３５６３号公報
【発明の開示】
【発明が解決しようとする課題】
【０００３】
しかしながら、前記従来の構成では、フッ素コート処理により水垢の手入れ性は向上するが、手入れ性能の向上とお湯の美味しさの両方を満足させるには、長時間沸騰により発生蒸気量が多くなったり、活性炭フィルターの付加によりコスト高となったりするものであった。
【０００４】
本発明は、前記従来の課題を解決するもので、長時間沸騰や活性炭フィルターが不要で、お湯の美味しさや手入れ性能に優れた湯沸し器を提供することを目的とする。
【課題を解決するための手段】
【０００５】
前記従来の課題を解決するために、本発明の湯沸し器は、有底筒状の液体を入れる容器の内面に、ＰＳＥ、顔料およびフッ素樹脂を主成分とする第１の塗膜層と、ＰＥＳ、顔料およびフッ素樹脂を主成分とし、親水性を有する第２の塗膜層とを順次形成し、少なくとも前記第１の塗膜層または第２の塗膜層のいずれかに気泡の発生核となる物質を添加したものである。
【０００６】
これによって、湯沸し時に細かい気泡を多く発生させることができ、発生した気泡のバブル効果によりお湯が掻き回され、お湯の中に溶存する有機溶剤などの不純物を除去することができるとともに、水分子は小さく分断され活性化され、その作用により不要な成分が除去され、浄水性能が高まり、長時間沸騰や活性炭フィルターが不要で、お湯の美味しさや手入れ性能に優れた湯沸し器が実現できる。
【発明の効果】
【０００７】
本発明の湯沸し器は、長時間沸騰や活性炭フィルターが不要で、お湯の美味しさや手入れ性能に優れた湯沸し器が実現できる。
【発明を実施するための最良の形態】
【０００８】
第１の発明は、有底筒状の液体を入れる容器の内面に、ＰＳＥ、顔料およびフッ素樹脂を主成分とする第１の塗膜層と、ＰＥＳ、顔料およびフッ素樹脂を主成分とし、親水性を有する第２の塗膜層とを順次形成し、少なくとも前記第１の塗膜層または第２の塗膜層のいずれかに気泡の発生核となる物質を添加した湯沸し器とするものである。これにより、湯沸し時に細かい気泡を多く発生させることができ、発生した気泡のバブル効果によりお湯が掻き回され、お湯の中に溶存する有機溶剤などの不純物を除去することができるとともに、水分子は小さく分断され活性化され、その作用により不要な成分が除去され、浄水性能が高まり、長時間沸騰や活性炭フィルターが不要で、お湯の美味しさや手入れ性能に優れた湯沸し器が実現できる。
【０００９】
第２の発明は、特に、第１の発明において、気泡の発生核となる物質は針状物質としたことにより、塗膜層の表面に針状物質が僅かに露出し気泡の発生核として作用するため、小さな気泡を多く形成させることができる。特に、針状物質としては、チタン酸カリウム繊維、ガラス繊維、ステンレスフレークなどを用いることができるが、中でも、チタン酸カリウム繊維は、ＰＳＥ、顔料およびフッ素樹脂を主成分とする塗膜層と馴染み易いため、気泡の発生核として好ましい。
【００１０】
第３の発明は、特に、第１または第２の発明において、気泡の発生核となる物質の添加は１〜１５重量％としたことにより、懸念される湯沸音や水垢付着量の増大を最小限に抑えることができ、湯沸し器として実使用上問題のないレベルを維持することができる。
【００１１】
第４の発明は、特に、第１〜第３のいずれか１つの発明において、第１の塗膜層に中空で多孔性のマイクロカプセルを添加したことにより、気泡の発生により、湯沸し時の湯沸音が大きくなるのを抑えることができる。なお、添加する中空で多孔性のマイクロカプセルとしては、酸化珪素、酸化アルミニウムまたは酸化チタンなどが良い。また、使用するそれぞれのマイクロカプセルの粒子径は膜厚の１０〜４０％の大きさが好ましい。
【００１２】
第５の発明は、特に、第４の発明において、中空で多孔性のマイクロカプセルを塗膜の固形分に対して３〜３０重量％添加したことにより、塗膜としての安定や塗膜性を確保でき、さらに湯沸し時の湯沸音を小さく抑えることができる。
【００１３】
第６の発明は、特に、第１〜第３のいずれか１つの発明において、第２の塗膜層上にさらにＰＥＳクリアーを主成分とする第３の塗膜層を形成したことにより、懸念される水垢付着量の増大をさらに抑制することができ、より安心して使用することが可能となる。
【００１４】
以下、本発明の実施の形態について、図面を参照にしながら説明する。なお、この実施の形態によって本発明が限定されるものではない。
【００１５】
（実施の形態１）
図１、図２は、本発明の実施の形態１における湯沸し器として電気湯沸し器を示している。
【００１６】
図に示すように、電気湯沸し器は、外装体１内に有底筒状の液体を入れる容器２が収納され、容器２の少なくとも内側底面には塗膜層３が形成されている。この塗膜層３は、ＰＳＥ、顔料およびフッ素樹脂を主成分とし、酸化珪素からなる中空で多孔性のマイクロカプセルを添加した第１の塗膜層３ａと、ＰＥＳ、顔料およびフッ素樹脂を主成分とし、気泡の発生核となる物質としてチタン酸カリウム繊維を添加した親水性を有する第２の塗膜層３ｂとからなっており、容器２の内側底面に順次形成している。なお、気泡の発生核となる物質は、第２の塗膜層３ｂだけでなく、第１、第２の塗膜層３ａ、３ｂの両者に添加しても良く、さらには、第１の塗膜層３ａにのみ添加するようにしても良いものである。
【００１７】
第１の塗膜層３ａに添加する中空で多孔性のマイクロカプセルは、気泡の発生による湯沸音の増大を抑えることを目的として添加したものであり、これは、酸化珪素以外に、酸化アルミニウムまたは酸化チタンなどであっても良い。また、使用するそれぞれのマイクロカプセルの粒子径は膜厚の１０〜４０％の大きさが好ましい。さらに、中空で多孔性のマイクロカプセルを塗膜の固形分に対して３〜３０重量％添加することで、塗膜としての安定や塗膜性を確保でき、さらに湯沸し時の湯沸音を小さく抑えている。
【００１８】
また、第２の塗膜層３ｂに添加する気泡の発生核となる物質としては、チタン酸カリウム繊維以外に、ガラス繊維、ステンレスフレークなどを用いることができるが、チタン酸カリウム繊維は、ＰＳＥ、顔料およびフッ素樹脂を主成分とする塗膜層と馴染み易いため、気泡の発生核として特に好ましい。気泡の発生核となる物質の添加は１〜１５重量％としている。これにより、懸念される湯沸音や水垢付着量の増大を最小限に抑えることができ、湯沸し器として実使用上問題のないレベルを維持している。
【００１９】
また、容器２の底面裏側には、発熱体４を背面板５により押圧固着している。制御手段６は、容器２の下部に装着した温度検知装置７からの電気信号で発熱体４への通電を制御している。また、容器２内の湯はポンプ８の駆動により、吐出口９から適宜外へ取り出すことができるものである。
【００２０】
上記構成において、容器２に液体を収容し、通電を開始すると発熱体４が加熱され、容器２の液体が加熱されるとともに、温度検知装置７により所定の液温に制御される。
【００２１】
ここで、このような構成を有する電気湯沸し器を準備し、添加する中空で多孔性のマイクロカプセルおよびチタン酸カリウム繊維の添加量をいろいろと変化させた。そして、これらの電気湯沸し器について、お湯を沸かした後のお湯の美味しさを１０人による官能評価により行い、一人５点満点とし、１０人の平均点を算出した。また、湯沸し時の湯沸音についても測定した。さらに、湯沸しを１００回繰り返し、容器２の内側底面の塗膜層３上に付着した水垢の付着度合いについても目視で判定し、大、中、小の３ランクにて区分した。これらの結果については（表１）に示した。
【００２２】
【表１】
2007289310.tif 000003
【００２３】
（表１）から明らかなように、第１の塗膜層３ａに酸化珪素からなるマイクロカプセルを３〜３０重量％添加し、さらに第２の塗膜層３ｂにチタン酸カリウム繊維を１〜１５重量％添加した試料Ｎｏ８、９、１２、１３、１６および１７の電気湯沸し器では、お湯は美味しく、湯沸音も静かであった。また、水垢の付着度合いも小〜中と実用上問題のないレベルであった。
【００２４】
一方、第１の塗膜層３ａに添加するマイクロカプセルが３重量％未満で、チタン酸カリウム繊維が１重量％以上の試料Ｎｏ３〜７、１１、１５、１９の電気湯沸し器では湯沸音は３０ｄＢ以上と大きかった。
【００２５】
また、第１の塗膜層３ａに添加するマイクロカプセルが３０重量％以上の試料Ｎｏ１０、１４、１８および２２の電気湯沸し器では安定して塗装することができなかった。
【００２６】
さらに、第２の塗膜層３ｂに添加するチタン酸カリウム繊維が１５重量％以上の試料Ｎｏ１９、２０および２１は第１の塗膜層３ａに添加する酸化珪素からなるマイクロカプセルの添加量に係わらず湯沸音を低減させることができず、また水垢の付着度合いが大きく、実使用上問題があった。
【００２７】
以上のことから、本実施の形態では、気泡の発生核となる物質を塗装膜に添加することで、長時間沸騰や活性炭フィルターが不要で、お湯の美味しさや手入れ性能に優れた湯沸し器が実現できる。また、塗装膜に中空で多孔性のマイクロカプセルを添加することにより、湯沸し時の気泡発生による湯沸音の増大を抑えることができるものである。
【００２８】
（実施の形態２）
図３は、本発明の実施の形態２における湯沸し器を示している。電気湯沸し器としての構成および塗装膜は、実施の形態１と同じであるのでその説明を省略する。
【００２９】
図に示すように、本実施の形態では、実施の形態１における第２の塗膜層３ｂ上にさらにＰＥＳクリアーを主成分とする第３の塗膜層３ｃを形成し、３層構造としたものである。これにより、懸念される水垢付着量の増大をさらに抑制し、より安心して使用することを可能とした。
【００３０】
このような構造を有する電気湯沸し器を実施の形態１の場合と同様の方法によりお湯の美味しさ、湯沸音および水垢の付着度合いについて評価した。
【００３１】
この結果、お湯の美味しさと湯沸音は、実施の形態１における試料Ｎｏ１６の場合と同様に４．０および２９ｄＢであったが、水垢付着量は試料Ｎｏ１６が中であったのが小に変化し、水垢の付着抑制に効果が得られた。
【００３２】
このように、本実施の形態では、ＰＥＳクリアーを主成分とする第３の塗膜層を形成して塗膜層を３層構造とすることにより、懸念される水垢付着量の増大をさらに抑制することができ、より安心して使用することが可能となる。
【産業上の利用可能性】
【００３３】
以上のように、本発明にかかる湯沸し器は、長時間沸騰や活性炭フィルターが不要で、お湯の美味しさや手入れ性能に優れた湯沸し器が実現できるので、電気湯沸し器としてはもちろんのこと、他のガス湯沸し器や炊飯器などのフッ素コートを施した機器にも適用できる。
【図面の簡単な説明】
【００３４】
【図１】本発明の実施の形態１における湯沸し器として電気湯沸し器を示す破断面図
【図２】同湯沸し器の要部を示す断面図
【図３】本発明の実施の形態２における湯沸し器の要部を示す断面図
【符号の説明】
【００３５】
２  容器
３  塗膜層
３ａ  第１の塗膜層
３ｂ  第２の塗膜層
３ｃ  第３の塗膜層
【図１】
2007289310.tif 000004
【図２】
2007289310.tif 000005
【図３】
2007289310.tif 000006